(57)【特許請求の範囲】
【請求項１】
片側端面が開口した可撓性のカバー（２）から記憶フィルム走査装置の中に記憶フィルム（１）を供給するための記憶フィルム供給装置であって、記憶フィルム（１）のための進入スリット（９）を有する挿入口（１８）を備えた記憶フィルム供給装置において、挿入口（１８）において、カバー（２）の一方の平らな面に対して直角に作用するスライダ（４）と、このスライダ（４）に付設されたストッパ部材（６）とが配置されていて、スライダ（４）の操作時にカバー（２）の平らな側面がストッパ部材に当接し、挿入口（１８）にスライダ（４）による押圧力で固定されることを特徴とする記憶フィルム供給装置。
【請求項２】
カバー（２）内の記憶フィルム（１）の静止摩擦係数が、ストッパ部材（６）及びスライダ（４）に対するカバー（２）の静止摩擦係数よりも小さい請求項１記載の記憶フィルム供給装置。
【請求項３】
ストッパ部材（６）に、又はストッパ部材（６）の側のスライダ（４）の端面に、弾性を有する圧縮部材（７）が配置されている請求項１又は２記載の記憶フィルム供給装置。
【請求項４】
圧縮部材（７）が、同時に、光を通さないように進入スリット（９）を覆うために設けられている請求項３記載の記憶フィルム供給装置。
【請求項５】
圧縮部材（７）が、初期位置において進入スリット（９）を完全に覆っている請求項４記載の記憶フィルム供給装置。
【請求項６】
載置面（１０）が、スライダ（４）において載置面（１０）に対して平行な軸を中心に旋回可能である請求項１乃至５のいずれか１つに記載の記憶フィルム供給装置。
【請求項７】
スライダ（４）又はストッパ部材（６）が、それぞれ対応する記憶フィルム側に、スライダ（４）及びストッパ部材（６）に対するカバー（２）の静止摩擦係数を高める保持被膜（１２）を有する請求項１乃至６のいずれか１つに記載の記憶フィルム供給装置。
【請求項８】
圧縮部材（７）が、対応する記憶フィルム側に、スライダ（４）及びストッパ部材（６）に対するカバー（２）の静止摩擦係数を高める保持被膜（１２）を有する請求項３乃至５のいずれか１つに記載の記憶フィルム供給装置。
【請求項９】
ストッパ部材（６）内に、カバー（２）側に、吸気通路（３）が配置されている請求項１乃至８のいずれか１つに記載の記憶フィルム供給装置。
【請求項１０】
圧縮部材（７）内に、カバー（２）側に、吸気通路（３）が配置されている請求項３乃至５、及び８のいずれか１つに記載の記憶フィルム供給装置。
【請求項１１】
スライダ（４）の閉位置で進入スリット（９）を通してカバー（２）が取り込まれるのを阻止するかみ合い結合が、カバー（２）とストッパ部材（６）及び／又はスライダ（４）との間に設けられている請求項１乃至１０のいずれか１つに記載の記憶フィルム供給装置。
【請求項１２】
かみ合い結合が、カバー（２）に形成された突出部（１４）とスライダ（４）及び／又はストッパ部材（６）の切欠き部（１５）によって構成されている請求項１１記載の記憶フィルム供給装置。
【請求項１３】
進入スリット（９）を覆う光保護要素（１３）を備え、この光保護要素（１３）が記憶フィルム（１）の挿入時に進入スリット（９）から押し曲げられる請求項１乃至１２のいずれか１つに記載の記憶フィルム供給装置。
【請求項１４】
カバー（２）内にある記憶フィルム（１）が載置面（１０）に載せられたことを検出するためのセンサ（１６，１７）が、ストッパ部材（６）及び／又はスライダ（４）内に組み込まれている請求項１乃至１３のいずれか１つに記載の記憶フィルム供給装置。
【請求項１５】
記憶フィルム（１）が進入スリット（９）を完全に通り抜けたか否かを検出するために、ストッパ部材（６）及び／又はスライダ（４）の内側にセンサ（１１）が配置されている請求項１乃至１４のいずれか１つに記載の記憶フィルム供給装置。
【請求項１６】
カバー（２）内にある記憶フィルム（１）が、スライダ（４）の載置面（１０）に載せられた際にスライダ（４）をカバー（２）に押し当て、記憶フィルム（１）が進入スリット（９）を完全に通り抜けた際にスライダ（４）を元に戻す駆動装置（Ｍ）を備えている請求項１乃至１５のいずれか１つに記載の記憶フィルム供給装置。
【請求項１７】
挿入口（１８）の方向に移動可能でありかつ記憶フィルム（１）をカバー（２）から記憶フィルム走査装置内に送り込むことを可能にするもう一つのスライダ（２０）を備えている請求項１乃至１６のいずれか１つに記載の記憶フィルム供給装置。
【請求項１８】
もう一つのスライダ（２０）が、平らな下面を有する請求項１７記載の記憶フィルム供給装置。
【請求項１９】
スライダ（４）がストッパ部材（６）に当接した後に、もう一つのスライダ（２０）がモータ駆動装置によって記憶フィルム（１）を進入スリット（９）内に送り込む請求項１７又は１８記載の記憶フィルム供給装置。
【請求項２０】
記憶フィルム（１）が取込み装置（８）によって捕捉されると、もう一つのスライダ（２０）がモータ駆動装置によって初期位置へ戻される請求項１７乃至１９のいずれか１つに記載の記憶フィルム供給装置。
【請求項２１】
スライダ（４）及びストッパ部材（６）が、記憶フィルム走査装置のハウジング（５）に光漏れのないように接続されている請求項１乃至２０のいずれか１つに記載の記憶フィルム供給装置。
【請求項２２】
ストッパ部材（６）が、スライダ（４）のための案内要素を有する請求項１乃至２１のいずれか１つに記載の記憶フィルム供給装置。
【請求項２３】
ストッパ部材（６）又はハウジング（５）にカバー（２）の横方向案内のための装置部材が取り付けられている請求項１乃至２２のいずれか１つに記載の記憶フィルム供給装置。
【請求項２４】
装置部材が、異なる記憶フィルム幅及び取込み装置幅のために位置決め可能である請求項２３記載の記憶フィルム供給装置。
【請求項２５】
ストッパ部材（６）及びスライダ（４）の当接面が取込み方向に対して直角方向に湾曲した形状を有することにより、スライダ（４）の閉位置において記憶フィルム（１）が同じ湾曲状態になる請求項１乃至２４のいずれか１つに記載の記憶フィルム供給装置。
【請求項２６】
進入スリット（９）の内面が、摩擦の少ない軟らかい被膜を備えている請求項１乃至２５のいずれか１つに記載の記憶フィルム供給装置。
【請求項２７】
進入スリット（９）の内のり幅が記憶フィルム（１）の厚さよりも大きく、好ましくは記憶フィルム（１）の挿入時に両方の内面が記憶フィルム（１）に対して０．３ｍｍの最小間隔を持つ請求項１乃至２６のいずれか１つに記載の記憶フィルム供給装置。
【請求項２８】
請求項１乃至２５の１つに記載の記憶フィルム供給装置を備えた記憶フィルム走査装置。
【請求項２９】
接線方向の取込み及び排出のために、回転するレーザビームの回転軸に対して平行に延びているスリット（１８及び２４）が設けられていることを特徴とする請求項２８記載の記憶フィルム走査装置。
【請求項３０】
請求項２８又は２９記載の記憶フィルム走査装置に使用するため片側短面が開口した可樋性のカバー（２）を備えた記憶フィルム。
【請求項３１】
記憶フィルムが、少なくとも１つの摩耗の少ない表面層を有する請求項３０記載の記憶フィルム。
【請求項３２】
記憶フィルム（１）がカバー（２）を備え、摩耗の少ない表面層がカバー（２）の対応する内面における材料よりも高い表面硬度を有する請求項３１記載の記憶フィルム。
【請求項３３】
記憶フィルム（１）が、カバー（２）に比べて摩耗の少ないラベルを有する請求項３０、３１又は３２記載の記憶フィルム。
【請求項３４】
ラベルが、カバー（２）の対応する内面における材料よりも高い表面硬度を有する請求項３３記載の記憶フィルム。
【発明の詳細な説明】
【技術分野】
【０００１】
本発明は、片側端面が開いた可撓性のカバーから記憶フィルムを記憶フィルム走査装置（ドラムスキャナと略称され、例えば、特許文献１から公知である。）の中に供給する記憶フィルム供給装置ならびにこのような記憶フィルム供給装置を備えた記憶フィルム走査装置に関する。
【背景技術】
【０００２】
この種の記録フィルム走査装置（例えば、イメージングプレートスキャナ等）は、歯科分野において、患者の口空間におけるＸ線照射後の２４×３０ｍｍから５６×７５ｍｍまでのサイズの口腔内記憶フィルムならびに１２７×３００ｍｍから２４０×３００ｍｍまでのサイズの口腔外記憶フィルムを走査するために使用される。医学分野では、それどころか３５０×４３０ｍｍまでの記憶フィルムサイズがあり、また非破壊材料検査の分野では、１００×４００ｍｍまでの記憶フィルムサイズがある。Ｘ線照射後の記憶フィルムは、光に曝されると記憶情報を失うので、記憶フィルム走査装置内で情報走査を行なうまでは、光を通さないカバー（光保護カバー）又はカセットによって記憶フィルムの少なくとも作用面を覆わなければならない。記憶フィルムもろともカバーが記憶フィルム走査装置の中に取り込まれるのを避けるために、それぞれのフィルムサイズに特有の特別なカセット形の挿入装置を使用して、これらの挿入装置から記憶フィルムを記憶フィルム走査装置の中に送り込み得るようにすることは公知である（例えば、先に挙げた特許文献１参照）。この代わりに、従来技術において、可撓性の光保護カバーにかみ合い結合要素を備えさせることにより、光保護カバーを記憶フィルム走査装置の取込み領域に留めて取り込まれないようにすることは公知である。更に、記憶フィルム走査装置の進入スリットにおいて、進入スリットが周囲光から遮蔽されるように、カセット及び可撓性の光保護カバーを厚めにすることが適切である。最初の解決策の欠点は、明らかに取り扱いが煩雑になる。なぜならば、最初に記憶フィルムをカバーから挿入補助手段の中へ押し込み、次いで挿入補助手段を記憶フィルム走査装置の取込み領域に留めおき、しかる後に挿入補助手段のレバーにより記憶フィルムを記憶フィルム走査装置の中へ送り込まねばならないからである。二番目の解決策の欠点は、かみ合い要素を備えさせられた可撓性の光保護カバーが容易には通常のＸ線カセットに適合しないことにある。
【先行技術文献】
【特許文献】
【０００３】
【特許文献１】独国特許出願公開第１９９４２２１１号明細書
【発明の概要】
【発明が解決しようとする課題】
【０００４】
以下において説明する本発明の課題は、カセットのような補助手段なしに、必ずしもかみ合い要素を備えていない簡単なカバーから、外部光に対する保護をしながら記憶フィルムを記憶フィルム走査装置の中に供給し、かつ取扱いステップ数を著しく低減することにある。さらに、特許文献１のような円筒状の走査装置の場合には、記憶フィルムは、自動的に円筒状に張られることで、これにより相応の取扱いステップが削減される。
【課題を解決するための手段】
【０００５】
この課題は、記憶フィルム走査装置に組み込まれる独立請求項による記憶フィルム供給装置によって解決される。本発明の更なる実施形態は従属請求項に記載され、図面に基づいて具体的に詳述される。
【図面の簡単な説明】
【０００６】
【図１】カバーの中に納められた記憶フィルムを置いた後における本発明による記憶フィルム供給装置の実施形態を示す断面図である。
【図２】記憶フィルムがカバーの中から部分的に外に移動された際における図１の実施形態を示す断面図である。
【図３】組み込まれた保持被膜を有する他の実施形態を示す断面図である。
【図４】組み込まれた光保護手段及びカバーの固定保持のためのかみ合い結合手段を備えた他の実施形態を示す断面図である。
【図５】一部が折り曲げ可能な載置面を有する本発明の変形例を示す断面図である。
【図６】記憶フィルムがカバーの中から部分的に外に移動された際における図６の本発明の変形例を示す断面図である。
【図７】記憶フィルム供給装置のハウジングにおける本発明による記憶フィルム供給装置の配置の実施形態を示す部分断面斜視図である。
【図８】記憶フィルム供給装置のハウジングにおける本発明による記憶フィルム供給装置の配置の他の実施形態を示す透視図である。
【図９】記憶フィルムの接線方向の供給もしくは排出の実施形態を示す斜視図である。
【図１０】図９の実施形態の内部構成を概略的に示す断面図である。
【図１１】記憶フィルムのための固定の進入スリットを有する実施形態を示す断面図である。
【図１２】記憶フィルムがカバーの中から部分的に外に移動された際における図１１の実施形態を示す断面図である。
【発明を実施するための形態】
【０００７】
図１に本発明による記憶フィルム供給装置が断面図で示されている。記憶フィルム供給装置は記憶フィルム走査装置のハウジング５に取り付けられ、スライダ４を含む。スライダ４は、記憶フィルム供給装置の挿入口１８の下部において、ハウジング５に固定されたストッパ部材６に対して相対的に、矢印方向に沿って駆動装置Ｍにより往復運動させられ得る。このために、例えばモータ駆動される押棒、モータ駆動されるスピンドル又はソレノイドアクチュエータを使用することができる。これらの要素は、図１には図の見易さの理由から概略的にしか示されていない。スライダ４はハウジング５又はストッパ部材６において案内される。スライダ４の下側には、平らな載置面１０が形成されている。この載置面１０の上に、記憶フィルム１を備えた片側端面が開口した可撓性カバー２を、載置面と同様に平らなその開いた端面側を下向きにして手動で容易に上から載せることができる。それによって、カバー２が、従って記憶フィルム１が垂直な向きにされる。載置面１０はストッパ部材６の中に潜り込み、このストッパ部材内でも直線状に案内される。この例では、ストッパ部材６内に、スライダ４のための案内要素として溝６０が配置されている。この溝６０内にてスライダ４の載置面１０を成す板片が案内されている。スライダ４の下部には記憶フィルム１の厚さよりも僅かに大きい幅を有する進入スリット９がある。このスリット９は記憶フィルム１のためのハウジング５の内部への進入口を成し、ハウジング５の内部では取込み装置８によって更なる搬送のために記憶フィルム１が捕捉される。
【０００８】
記憶フィルム１のひっかきに弱い前面、即ちＸ線露出時にＸ線源の方を向いている側の平らな面と、スライダ４との間において故障時に起こり得る摩擦を低減するために、進入スリット９の内面は、例えばＰＴＦＥ（テフロン（登録商標））又はＬＤＰＥ（低密度ポリエチレン）のような軟らかい摩擦の少ないコーティング又は被膜を備えている。記憶フィルム１もしくはストッパ部材６の方を向いている側のスライダ４の端面には、進入スリット９を覆う例えば軟ゴム発泡体からなる圧縮部材７が配置されている。これの向かい側において、ストッパ部材６内に吸気通路３が配置されているとよい。これらの吸気通路３は、ストッパ部材６に対してスライダ４が押し当てられた際にカバー２を引き留めておく機能を持つ。周囲光が記憶フィルム走査装置内に差し込むと都合が悪いので、走査装置の内部空間に光が差し込まないように、記憶フィルム供給装置の部材間の接続、即ちスライダ４とストッパ部材６とハウジング５との間の接続は、できるだけ隙間のない、もしくは光漏れのない構造にすることが重要である。場合によっては、溝とバネ要素を接続面に設置し、接合縁の黒着色によって光入射を抑制することが必要である。
【０００９】
記憶フィルム１が挿入口１８内の載置面１０上に載せられたか否かを検出できるようにするために、センサ、例えば反射式の光電センサが、スライダ４又はストッパ部材６の中に組み込まれている。本発明に従って、フォトダイオード１７（図７）と発光ダイオード１６（図７）とが、向かい合わせになって、これらの両部材内で記憶フィルムを認識するための対向式の光電センサを構成していてもよい。
【００１０】
一端面が開口したカバー２内にある記憶フィルムを、この開口した端面を下向きにして、挿入口１８内の載置面１０の上に載せると、センサが制御ユニットＰに信号Ｓ１を与え、この信号Ｓ１が、直ちに又は短い遅れで駆動装置Ｍによりスライダ４をカバー２の平らな面に対して直角に左方向（閉方向）に移動させる。この代わりに、信号Ｓ１がハウジング５における押ボタン１９（図８参照）によって発生させられてもよい。スライダ４の左方向への移動によって、カバー２は、その中にある記憶フィルム１と共に、カバーの平らな面がストッパ部材６に当接するまでストッパ部材６に向けて押圧される。その際に、圧縮部材７が圧縮されて、圧縮部材７が所定のばね力にてカバー２を外側から挟んで固定する。記憶フィルム１がカバー２と共にストッパ部材６に当接するとき、カバー２の端面が進入スリット９と一直線上に並ぶ。ストッパ部材６、圧縮部材７及びカバー２の当接面同士の間の静止摩擦が、カバー２とその内部にある記憶フィルム１との間の静止摩擦よりも明らかに大きいことが重要である。換言するならば、記憶フィルム１とカバー２の内面との間の静止摩擦係数が、カバー２の外面とストッパ部材６の当接面もしくはスライダ４の圧縮部材７との間の静止摩擦係数よりも小さいということである。このために、カバー２の内面は、記憶フィルム１の摩耗を低減すべく軟らかい摩擦の少ない材料からなっている。記憶フィルム１が付加的に少なくとも１つの摩耗の少ない表面層を備えることも可能で、この表面層はカバー２の当該内面における材料よりも高い表面硬度を有することが好ましい。更に、記憶フィルム１は、カバー２に対向した摩耗の少ない、かつカバー２の対応内面における材料よりも高い表面硬度を有するラベルを有することができる。
【００１１】
ストッパ部材６の方を向いている側の圧縮部材７の端面も、ストッパ部材６の当接面も、静止摩擦を高めるため保持被膜を備えているとよい。
【００１２】
記憶フィルム供給装置と、カバー２を備えた記憶フィルム１とは、このようにして１つのシステムを構成し、このシステム内において記憶フィルム供給装置、記憶フィルム、カバーという個別の構成要素が互いに調和されている。実際において、ＬＤＰＥ（低密度ポリエチレン）からなるカバー２と、シリコンコーティングをした圧縮部材７とを使用した際に、スライダによって横方向に及ぼされる押圧力が１．６Ｎである場合に、スライダ４の圧縮部材７へのカバー２の保持力が約１．１Ｎであり、カバー２内での記憶フィルム１の保持力が約０．４Ｎであることが証明された。
【００１３】
このようにして、ほぼ３の安全係数にて、次のことが保証されている。即ち、カバー２自体は挿入口１８においてスライダ４もしくは圧縮部材７に固定したままにしておいて、記憶フィルム１を指によりカバー２から送り出せることである。
【００１４】
更に、カバー２の、従ってその中にある記憶フィルム１の横方向の案内のために、即ちカバー端面に対して直角方向に延びている両狭幅面に対する案内のために、ストッパ部材６又はハウジング５に、カバー２の狭幅面に当接する横方向の装置部材が配置されているとよい。種々の記憶フィルム幅及び取込み幅を可能にするために、この装置部材が、例えばノッチ式位置決め装置によって、種々の位置に位置決めできるとよい。
【００１５】
図２は、引き続いてカバー２の開いた端面とは、反対の方を向いている側の閉じられた端面への圧力、従って記憶フィルム１への圧力によって、記憶フィルム１が進入スリット９を通して下方に送り込まれた状態を示す。これは、例えば手動又はモータ制御により上から力を及ぼす他のスライダ又はレバーによって行なわれる。進入スリット９の下側で記憶フィルム１が、例えばベルトコンベヤ形式の取込み装置８に出くわす。取込み装置８が記憶フィルム１を連続的に更に先へと引き込むのに対して、カバー２はストッパ部材６と圧縮部材７との間に挟まれたままである。その際に、光を通さない材料からなる圧縮部材７が、ストッパ部材６とスライダ４との間に残されている間隙を封鎖する。ストッパ部材６とスライダ４との間の間隔は、この位置では、カバー２を含めた記憶フィルム１の厚さよりも若干大きいだけであるだけので、格別の圧力がスライダ４自体によって及ぼされるのではなく、圧縮部材７によってのみ及ぼされる。
【００１６】
進入スリット９の内のり幅は記憶フィルム１の厚さよりも若干大きく、従って進入スリット９の両内面が、この位置では記憶フィルム１に接触せず、例えばそれぞれ記憶フィルム１に対して０．３ｍｍの最小間隔を有するようになっている。
【００１７】
挿入口１８とは反対側のストッパ６の下面には、信号Ｓ２を発生するセンサ１１、例えば光電センサが配置されていて、この信号Ｓ２により、記憶フィルム１が進入スリット９を通して送り込まれてきたことが通報される。センサ１１の信号Ｓ２は、ここではベルトコンベヤ形式にて概略的に示されている取込み装置８を始動するために使用することができる。更に、センサ１１は、記憶フィルム１が進入スリット９を再び離れた時点、即ち進入スリット９を完全に通り抜けた時点を検出する。センサ１１から発生した信号Ｓ２により、短い時間遅れで、制御ユニットＰによって制御されるスライダ４の駆動装置Ｍが再び図１による初期位置に送り戻されるので、カバー２を備えた更に別の記憶フィルム１を載せることができる。この代わりに、スライダ４の開動作をハウジング５に取り付けられている押ボタン１９（図８）を介して使用者によって作動させてもよい。圧縮部材７によってこの過程中に再び進入スリット９が光漏れのないように閉じられる。他の変形例に従って、記憶フィルム１が完全に走査された後にはじめてスライダ４が初期位置に移動されるように、遅延回路が制御ユニットＰにおいて実現されてもよい。それによって、走査過程中にスライダ４の移動によって外部の光が入射することがなく、それにより走査された画像がエラーを含んでいないことが常に保証される。
【００１８】
図３は、ストッパ部材６の当接面に、例えばシリコンゴムからな保持被膜１２が設けられた本発明による実施形態を示す。更に、進入スリット９の下側に、進入スリット９を覆うと共に付加的に光保護機能を提供する光保護要素１３、例えばブラシ状部材が配置されている。この光保護要素１３は、記憶フィルム１の挿入時に下に向かって曲げられ、このようにして進入スリット９から邪魔にならない所に旋回させられる。
【００１９】
保持被膜１２の代わりに、図４に示されているように、スライダ４の閉位置でのカバー２と挿入口１８との形状結合を利用しもよい。このために、例えばかみ合い結合として、細いくさび形の突出部１４がカバー２に形成されていて、閉方向にスライダ４が操作された時にこの突出部がスライダ４の対応する切欠き部１５に嵌まり、スライダ４が閉位置にある場合に進入スリット９を通してカバー２が引き込まれるのを防止する。前述と同様に、周囲光に対して密閉するために、光を通さない圧縮部材７がスライダ４に取り付けられている。これに対する代替又は補足として、このようなかみ合い結合１４，１５をカバー２とストッパ部材６との間に設けることもできる。
【００２０】
図５及び図６は変形例を示す。この変形例では、平らな載置面１０が、（記憶フィルム１が図５の初期位置にあるとき）ストッパ部材６の下面と一直線をなすようにヒンジ結合によりスライダ４に配設されていると共に、記憶フィルム１の載置面１０に対して平行な軸の周りに９０度旋回可能であり、これは記憶フィルム１がカバーから出てきた状態（図６）に相当する。
【００２１】
図７は、本発明による記憶フィルム供給装置を円筒状に曲げられた形で概略的に示す。この実施形態は、先に挙げた特許文献１に記載された走査装置と関連させて使用するならば特に有利である。というのは、記憶フィルムが供給動作によって円筒の形状を与えられるからである。発光ダイオード１６及びフォトダイオード１７が、挿入口１８の中心に配置されているのが分かる。基本的には、スライダ４及びストッパ部材６が相応の形状であれば、供給装置は記憶フィルムを他の形状、例えば放物線又は楕円の形状に曲げることができる。
【００２２】
図８は、同様に先に挙げた特許文献１により公知の走査装置に使用可能である、本発明による他の記憶フィルム供給装置の透視図を示す。この場合にも発光ダイオード及びフォトダイオードを挿入口１８に対して中心に配置することができる。この配置の利点は、記憶フィルム１を備えたカバー２を非常に簡単なやり方で挿入口１８の中に入れ得ることにあり、このことは完全自動運転のために必要である。更に、中に入れられる記憶フィルム１もしくはカバー２の平らな面に平行に、例えば垂直方向に操作可能なもう１つの供給スライダ２０を設け、例えば水平方向のスライダ４を閉位置へ移動した後にこのスライダ２０により記憶フィルム１を搬送領域に送り込むとよい。その際に、スライダ２０は、記憶フィルム１を備えたカバー２の上面、即ち開いた端面とは反対側の端面に当接する。供給スライダ２０は、カバー２の端面の方を向いている側の下面が平らにされているとよい。それによって記憶フィルム１がカバー２から送り出された際に傾くのが回避される。供給スライダ２０がモータ駆動されると、取込み作業は完全自動にて動作し、使用者の操作は挿入口の載置面１０の上に片面が開いたカバー２を有する記憶フィルム１を載せることだけに限定される。その際に、供給スライダ２０は、スライダ４がカバー２に当接してカバー２を挟んで固定した後に、モータ駆動によって進入スリット９を通して記憶フィルム１を送り込む。記憶フィルム１が進入スリット９から離れたると、供給スライダ２０はモータ駆動によって改めて初期位置に戻される。ここで指摘しておくに、本発明による供給装置は、挿入口１８の形状に対応する下部輪郭を有しかつ下面に進入スリット９と一直線上に並んでいる開口を有する固定したカセットとも協力して動作する。更に、カセットが、例えば供給スライダ２０による記憶フィルムへの直接作用を可能にする開口を有するか、又はカセットから突き出ていて供給スライダ２０を記憶フィルムの上縁につなぐ他の結合部材を有するならば、供給スライダ２０の助けにより、記憶フィルム１をこのようなカセットから下に向けて送り出すことができる。
【００２３】
先に挙げた特許文献１に既に記載されていてかつそれの図１１に示されている読取装置と関連させれば、本発明による記憶フィルム供給装置により、図９及び図１０に示されている特にコンパクトな記憶フィルム走査装置を実現することができる。図９には記憶フィルム走査装置が具体的に示されている。この記憶フィルム走査装置においては、記憶フィルムが、回転軸を中心に回転するドラム２５に対して接線方向に取り込まれ、そして排出される。このドラム２５内には、ドラム２５と共に回転するレーザが配置されている。この場合には、挿入口１８も出口２４も、回転軸に対して平行に向けられているスリットの形態を有する。
【００２４】
図１０による横断面図においてはカバーが２で示されている。カバー２の中にはなおも部分的に記憶フィルム１が存在している。記憶フィルム１は、ロール駆動装置８により、まっすぐ四分円弧状のキャリッジ２２に入る。このキャリッジ２２は、記憶フィルム１の改良された保持のための多数の孔（パーフォレーション）を備えている。これらの孔は、記憶フィルム１がストッパ２３に達するや否や真空ポンプ２１の操作によって活性化される。それから、例えば図示されていないラック駆動装置によってキャリッジを同時に前進移動させながら、破線で示された一平面内を走るレーザビームＬによって記憶フィルム１を走査する。この過程の終了後に、ストッパ２３が記憶フィルム１を開放し、真空ポンプ２１が不動作にされ、記憶フィルム１が出口２４に移動する。記憶フィルム１を出口スリット２４から十分に外へ移動させるための重力が十分でない場合には、付加的に更に、図示されていない別の駆動されるロール対を設けることができる。キャリッジもしくは記憶フィルム１が四分円弧よりも大きい場合にも同じことが当てはまる。
【００２５】
図１１には、本発明による記憶フィルム供給装置の他の実施形態が示されている。この場合には、圧縮部材７が図１とは違ってストッパ部材６に取り付けられていて、当接面を超えて突き出ている。更に、載置面１０及び進入スリット９がストッパ部材６に固定されている。吸気通路３は、ストッパ部材６及び圧縮部材７を突き抜けている。スライダ４の休止位置では、圧縮部材７が特に進入スリット９の全体を覆うので、外部の光が走査装置内に達することはない。そのためには、圧縮部材７がカバー２に対して高い保持係数を有する例えば容易に圧縮可能な軟らかいゴム材料からなるとよい。しかし、圧縮部材７は、これがばねによりストッパ部材６からスライダ４の方向に押圧されるように、ストッパ部材６内において移動可能に支持されていてもよい。このばねのばね定数が、スライダ４の閉位置において記憶フィルムカバー２を挟んで固定保持する押圧力を決定する。更に、この図示されていない移動可能に支持される圧縮部材は、ストッパ部材６内での当接により、最大時に進入スリット９が完全に開放されるまで左方向に押圧され、そして進入スリット９全体が圧縮部材によって覆われるまで右方向に押されるように構成されている。更に、図示されていない移動可能な圧縮部材が、種々の記憶フィルムサイズの取込み幅に対応する多数の分割部分からから構成されているとよい。これにより次のことが保証されている。即ち、進入スリット９が、カバー２がない場合においても移動可能な圧縮部材の分割部分によって光を通さないように覆われていることである。更に、移動可能な圧縮部材７が、スライダ４と同様に、カバー２に対して高い保持係数を有する被膜を備えているとよい。記憶フィルム１が載置面１０の上に載せられると、次にスライダ４が進入スリット９の右側面まで押し込まれるので、カバー２がスライダ４と圧縮部材７もしくはストッパ部材６との間で挟みつけられる。図１２は、一部が進入スリット９を通過した後における記憶フィルム１を示す。
【００２６】
カセット内に記憶フィルムが供給される構成に比べた本発明による供給装置の他の利点は、より低い構造高さにある。なぜならば、カセットのための装置要素も不要となり、記憶フィルム自体を押し出すための操作手段を有するカセットはその中に含まれている記憶フィルムよりも大きいスペースを占めるからである。
【００２７】
更に、供給装置内の中心にセンサを配置した場合に記憶フィルム１が供給スリットの中心を遮蔽する場合にのみ搬送装置が始動することが有利である。その下の中心にベルト搬送装置がある場合には、記憶フィルムがこの搬送装置によって確実に取り込まれ、更に先へ搬送されることが保証されている。
【符号の説明】
【００２８】
１          記憶フィルム
２          カバー
３          吸気通路
４          スライダ
５          ハウジング
６          ストッパ部材
７          圧縮部材
８          取込み装置
９          進入スリット
１０        載置面
１１        センサ
１２        保持被膜
１３        光保護要素
１４        突出部
１５        切欠き部
１６        発光ダイオード
１７        フォトダイオード
１８        挿入口
１９        押ボタン
２０        供給スライダ
２１        真空ポンプ
２２        滑走部
２３        ストッパ
２４        出口
２５        ドラム
６０        溝
Ｍ          駆動装置
Ｓ          制御ユニット
Ｓ１        信号
Ｓ２        信号
【図１】
0005602029.tif 000002
【図２】
0005602029.tif 000003
【図３】
0005602029.tif 000004
【図４】
0005602029.tif 000005
【図５】
0005602029.tif 000006
【図６】
0005602029.tif 000007
【図７】
0005602029.tif 000008
【図８】
0005602029.tif 000009
【図９】
0005602029.tif 000010
【図１０】
0005602029.tif 000011
【図１１】
0005602029.tif 000012
【図１２】
0005602029.tif 000013